(57)【要約】【課題】二つの部分を繋ぐヒンジが破断した場合であっても分離脱落を防止することが可能な樹脂部品と、この樹脂部品を組み付けてなる樹脂部品付きバッテリーターミナルとを提供する。【解決手段】樹脂部品付きバッテリーターミナル１は、バッテリーターミナル２と、このバッテリーターミナル２に組み付く樹脂部品（バッテリーターミナル用樹脂部品）３とを備えて構成されている。樹脂部品３は、ターミナル下部カバー１８と、ターミナル上部カバー１９と、ヒンジ２０と、ロック部２１と、ターミナルストッパー２２とを有している。樹脂部品３は、上記の部分が一体になっている。樹脂部品３は、ターミナル下部カバー１８とターミナル上部カバー１９とでバッテリーターミナル２を挟み込み、この挟み込み状態をロック部２１によって維持することにより、バッテリーターミナル２に対して組み付くようになっている。【選択図】図１
2010160991.tif 000002
【特許請求の範囲】
【請求項１】
バッテリーのバッテリーポストに接続されるバッテリーターミナルに対して組み付けられる合成樹脂製の部品であって、
前記バッテリーターミナルの前側で曲げられるヒンジと、
該ヒンジの一端に連成されるターミナル上部カバー及び他端に連成されるターミナル下部カバーと、
前記ターミナル上部カバーの左右両側部にそれぞれ設けられる一方のロック部及び前記ターミナル下部カバーの左右両側部にそれぞれ設けられる他方のロック部と、
を一体に有し、
前記ターミナル上部カバーと前記ターミナル下部カバーとで前記バッテリーターミナルをこの上下から挟み込むと、前記一方のロック部と前記他方のロック部とが前記バッテリーターミナルの左右両側部の位置でそれぞれ係合する
ことを特徴とするバッテリーターミナル用樹脂部品。
【請求項２】
請求項１に記載のバッテリーターミナル用樹脂部品において、
前記ターミナル下部カバーの後部に連成されて前記バッテリーの側部に当接可能となる位置決め用のターミナルストッパーを更に一体に有する
ことを特徴とするバッテリーターミナル用樹脂部品。
【請求項３】
請求項１又は請求項２に記載のバッテリーターミナル用樹脂部品を、バッテリーのバッテリーポストに接続されるバッテリーターミナルに対し組み付けることによりなる
ことを特徴とする樹脂部品付きバッテリーターミナル。
【発明の詳細な説明】
【技術分野】
【０００１】
本発明は、バッテリーターミナルに組み付けられる樹脂部品と、この樹脂部品を組み付けてなる樹脂部品付きバッテリーターミナルとに関する。
【背景技術】
【０００２】
バッテリーターミナルや、このバッテリーターミナルに組み付けられる樹脂部品としての防食カバーは、例えば下記特許文献１に開示されている。
【０００３】
図５において、バッテリーターミナル１４１は、上下方向に配置される一対の環状部１４５ａ、１４５ｂを有している。この環状部１４５ａ、１４５ｂには、バッテリーポスト１０３を挿入するためのバッテリーポスト挿入穴１４７が各々形成されている。環状部１４５ａ、１４５ｂは、バッテリーポスト挿入穴１４７の円周方向の一箇所が分断されて形成された締め付け間隙１４９を有しており、この締め付け間隙１４９によって開放されている。
【０００４】
環状部１４５ａ、１４５ｂは、締め付け間隙１４９側で一対の締め付け部１５５、１５５により上下が連結されている。締め付け間隙１４９の反対側においては、接合板１５１ａ、１５１ｂ同士が重ね合わせられて電線接続部が形成されている。接合板１５１ａには、端子固定ボルト１５３が立設されている。
【０００５】
上下の環状部１４５ａ、１４５ｂを連結する一対の締め付け部１５５、１５５には、左右方向に貫通する貫通穴１５７が各々形成されている。貫通穴１５７には、締め付け間隙１４９を横断する締め付けボルト１５９が挿入されている。
【０００６】
尚、貫通穴１５７を貫通した締め付けボルト１５９は、先端に螺合するナット１６１と共働して、締め付け間隙１４９の両側の一対の締め付け部１５５、１５５を互いに近接する方向に締め付けることができるようになっている。そして、締め付けを生じさせると、環状部１４５ａ、１４５ｂのバッテリーポスト挿入穴１４７は縮径するようになっている。
【０００７】
防食カバー１６３は、バッテリーターミナル１４１及びバッテリー間に介在するように配設されている。防食カバー１６３は、ターミナル下部カバー（底板部）１６５を有しており、このターミナル下部カバー１６５の周囲には、環状部１４５ａ、１４５ｂ、及び電線接続部の側面を包囲する側壁１６７が形成されている。ターミナル下部カバー１６５の中央には、バッテリーポスト１０３を挿入するための挿入穴１６９が穿設されている。
【０００８】
ターミナル下部カバー１６５の一端には、締め付け間隙１４９に挿入される挟入部１７１が立設されている。挟入部１７１には、締め付けボルト１５９が挿通される貫通孔１７３が穿設されている。挟入部１７１は、この両面が先端に向けて先細りするテーパ形状に形成されている。
【０００９】
上記構成において、防食カバー１６３の挟入部１７１が環状部１４５ａ、１４５ｂの締め付け間隙１４９に挿入される。防食カバー１６３とバッテリーターミナル１４１は一体に組み合わされ、挿入穴１６９及びバッテリーポスト挿入穴１４７にはバッテリーポスト１０３が挿入される。
【００１０】
一対の締め付け部１５５、１５５及び挟入部１７１に締め付けボルト１５９が挿通され、ナット１６１が螺合して締め付けが行われると、一対の締め付け部１５５、１５５が互いに近接し、環状部１４５ａ、１４５ｂがバッテリーポスト１０３の外周面に密接する。
【００１１】
尚、防食カバー１６３は、合成樹脂製であって、バッテリーターミナル１４１の腐食を防止するために備えられている。このような防食カバー１６３をバッテリーターミナル１４１に組み付けると、バッテリーターミナル１４１は防食カバー付きバッテリーターミナルになる。
【先行技術文献】
【特許文献】
【００１２】
【特許文献１】特開平１０−１２２１４号公報  （第３−４頁、第１−４図）
【発明の概要】
【発明が解決しようとする課題】
【００１３】
上記従来技術にあっては、挟入部１７１に締め付けボルト１５９が挿通されるまで、防食カバー１６３とバッテリーターミナル１４１との一体状態が不安定であることから、作業性が悪いという問題点を有している。また、防食カバー１６３の交換等に関しても締め付けボルト１５９の抜き挿しがあることから、作業性が悪いという問題点を有している。そこで、本願発明者は、締め付けボルト１５９を用いずに防食カバー１６３をバッテリーターミナル１４１に組み付けることを考えてみた。
【００１４】
図５には本願発明者が検討した防食カバー２０１が示されている。防食カバー２０１は、バッテリーターミナル２０２の下部に配置されるターミナル下部カバー２０３を有している。このターミナル下部カバー２０３の左右両側部の一方には、ヒンジ２０４を介してターミナル上部カバー２０５が連成されている。防食カバー２０１は、ヒンジ２０４を曲げてターミナル下部カバー２０３とターミナル上部カバー２０５とでバッテリーターミナル２０２を挟み込み、そして、ターミナル下部カバー２０３に設けられた係止突起２０６と、ターミナル上部カバー２０５に設けられた係止枠部２０７とでロック状態にすると、バッテリーターミナル２０２に対する組み付けが完了するようになっている。
【００１５】
ところで、本願発明者が検討した防食カバー２０１にあっては、次のような問題点を有しており、これを解消する必要があると本願発明者は考えている。すなわち、防食カバー２０１にあっては、何らかの理由でヒンジ２０４の破断が生じた場合、ターミナル下部カバー２０３からターミナル上部カバー２０５が分離脱落してしまうという虞を有している。
【００１６】
本発明は、上記した事情に鑑みてなされたもので、二つの部分を繋ぐヒンジが破断した場合であっても分離脱落を防止することが可能な樹脂部品と、この樹脂部品を組み付けてなる樹脂部品付きバッテリーターミナルとを提供することを課題とする。
【課題を解決するための手段】
【００１７】
上記課題を解決するためになされた請求項１記載の本発明のバッテリーターミナル用樹脂部品は、バッテリーのバッテリーポストに接続されるバッテリーターミナルに対して組み付けられる合成樹脂製の部品であって、前記バッテリーターミナルの前側で曲げられるヒンジと、該ヒンジの一端に連成されるターミナル上部カバー及び他端に連成されるターミナル下部カバーと、前記ターミナル上部カバーの左右両側部にそれぞれ設けられる一方のロック部及び前記ターミナル下部カバーの左右両側部にそれぞれ設けられる他方のロック部と、を一体に有し、前記ターミナル上部カバーと前記ターミナル下部カバーとで前記バッテリーターミナルをこの上下から挟み込むと、前記一方のロック部と前記他方のロック部とが前記バッテリーターミナルの左右両側部の位置でそれぞれ係合することを特徴としている。
【００１８】
このような特徴を有する本発明によれば、バッテリーターミナルに対して樹脂部品を組み付けると、バッテリーターミナルの左右両側部の位置に、ターミナル上部カバーとターミナル下部カバーとのロック状態がそれぞれ形成される。仮にヒンジが破断したとしても、バッテリーターミナルの左右両側部の位置のロック状態は維持されることから、ターミナル下部カバーからターミナル上部カバーが分離脱落してしまうようなことはない。仮にヒンジが破断したとしても、バッテリーターミナルに対する上下の挟み込みは維持される。
【００１９】
請求項２記載の本発明のバッテリーターミナル用樹脂部品は、請求項１に記載のバッテリーターミナル用樹脂部品において、前記ターミナル下部カバーの後部に連成されて前記バッテリーの側部に当接可能となる位置決め用のターミナルストッパーを更に一体に有することを特徴としている。
【００２０】
このような特徴を有する本発明によれば、例えばバッテリーターミナルをバッテリーポストに接続する際に、バッテリーターミナルの回転方向の移動はターミナルストッパーがバッテリーの側部に当接することによって規制される。
【００２１】
上記課題を解決するためになされた請求項３記載の本発明の樹脂部品付きバッテリーターミナルは、請求項１又は請求項２に記載のバッテリーターミナル用樹脂部品を、バッテリーのバッテリーポストに接続されるバッテリーターミナルに対し組み付けることによりなることを特徴としている。
【００２２】
このような特徴を有する本発明によれば、バッテリーターミナルに対し樹脂部品を組み付けたものであり、樹脂部品は二つの部分を繋ぐヒンジが破断した場合であっても、二つの部分の分離脱落を防止することが可能である。
【発明の効果】
【００２３】
請求項１に記載された本発明によれば、二つの部分を繋ぐヒンジが破断した場合であっても、二つの部分の分離脱落を防止することができるという効果を奏する。
【００２４】
請求項２に記載された本発明によれば、回り止め（位置決め）機能を持たせることができるという効果を奏する。
【００２５】
請求項３に記載された本発明によれば、組み付けた樹脂部品において分離脱落のないものを提供することができるという効果を奏する。
【図面の簡単な説明】
【００２６】
【図１】本発明のバッテリーターミナル用樹脂部品、及び、樹脂部品付きバッテリーターミナルの一実施の形態を示す図であり、（ａ）は組み付け前のターミナル上部カバーを開いた状態を示す平面図、（ｂ）は組み付け後の状態を示す平面図である。
【図２】本発明のバッテリーターミナル用樹脂部品、及び、樹脂部品付きバッテリーターミナルの一実施の形態を示す図であり、（ａ）は組み付け前のターミナル上部カバーを開いた状態を示す側面図、（ｂ）は組み付け後の状態を示す側面図である。
【図３】本発明のバッテリーターミナル用樹脂部品、及び、樹脂部品付きバッテリーターミナルの一実施の形態を示す図であり、（ａ）は組み付け後の状態を示す斜視図、（ｂ）はバッテリーのバッテリーポストに接続した概略の状態を示す側面図である。
【図４】従来例のバッテリーターミナルの分解斜視図である。
【図５】問題点に係る説明図であり、（ａ）は組み付け前のターミナル上部カバーを開いた状態を示す平面図、（ｂ）は組み付け後の状態を示す平面図である。
【発明を実施するための形態】
【００２７】
以下、図面を参照しながら説明する。図１は本発明のバッテリーターミナル用樹脂部品、及び、樹脂部品付きバッテリーターミナルの一実施の形態を示す図であり、図１（ａ）は組み付け前のターミナル上部カバーを開いた状態を示す平面図、図１（ｂ）は組み付け後の状態を示す平面図、図２（ａ）は組み付け前のターミナル上部カバーを開いた状態を示す側面図、図２（ｂ）は組み付け後の状態を示す側面図、図３（ａ）は組み付け後の状態を示す斜視図、図３（ｂ）はバッテリーのバッテリーポストに接続した概略の状態を示す側面図である。
【００２８】
図１ないし図３において、引用符号１は本発明の樹脂部品付きバッテリーターミナルを示している。樹脂部品付きバッテリーターミナル１は、バッテリーターミナル２と、このバッテリーターミナル２に組み付く樹脂部品（バッテリーターミナル用樹脂部品）３とを備えて構成されている。樹脂部品付きバッテリーターミナル１は、バッテリーターミナル２がバッテリー４のバッテリーポスト５に接続されるようになっている。バッテリー４及びバッテリーポスト５は公知もの（汎用性のある一般的なもの）であって、バッテリーポスト５は先端の直径が基端の直径よりも小さいテーパ状の周側面を有するように形成されている。樹脂部品３は、バッテリーターミナル２に防食機能と、回り止め（位置決め）機能とを持たせるために備えられている。また、樹脂部品３は、後述するが、この樹脂部品３に破断が生じても分離脱落を防止することができるように形成されている。以下、バッテリーターミナル２及び樹脂部品３の構造について説明をする。
【００２９】
上記バッテリーターミナル２は、導電性を有する金属板をプレス加工することにより製造されている。本形態においては、Ｓｎメッキが施されている。バッテリーターミナル２は、公知のもの（汎用性のある一般的なもの）が用いられている。
【００３０】
バッテリーターミナル２は、一対の環状部６、７と、一対の締め付け部８、８と、一対の接合板からなる電線接続部９とを有している。また、バッテリーターミナル２は、電線接続部９に保持される端子固定ボルト１０と、端子固定ボルト１０に螺合するナット（不図示）とを有している。さらに、バッテリーターミナル２は、後述する締め付けボルト１６と、この締め付けボルト１６に螺合するナット１７とを有している。電線接続部９には、外部接続端子（不図示）が接続されるようになっている。
【００３１】
本明細書において、上記バッテリーポスト５の軸方向を上下方向とし、バッテリーポスト５の先端を上、基端を下と定義する。従って、環状部６が上、環状部７が下に配置されている。
【００３２】
環状部６の略中央には、バッテリーポスト５を挿入するためのバッテリーポスト挿入穴１１が上下方向に貫通形成されている。バッテリーポスト挿入穴１１は、バッテリーポスト５の周側面に対して接触するように形成されている。バッテリーポスト挿入穴１１は、バッテリーポスト５の先端側の直径に合わせて環状に形成されている。バッテリーポスト挿入穴１１は、締め付け部８、８の間となる部分が分断された状態に形成されている。
【００３３】
環状部７の略中央には、バッテリーポスト５を挿入するためのバッテリーポスト挿入穴１２が上下方向に貫通形成されている。バッテリーポスト挿入穴１２は、バッテリーポスト５の周側面に対して接触するように形成されている。バッテリーポスト挿入穴１２は、バッテリーポスト５の基端側の直径に合わせて環状に形成されている。バッテリーポスト挿入穴１２は、締め付け部８、８の間となる部分が分断された状態に形成されている。
【００３４】
引用符号１３はバッテリーポスト挿入穴１１、１２の一部分断された部分を示している。
【００３５】
締め付け部８、８は、環状部６、７を間隔をあけて上下に重なるようにこれらを連結する部分であって、前後方向にＵ字状に湾曲する形状に形成されている。締め付け部８、８は、一部分断された部分１３の左右両側に配置形成されている。締め付け部８、８は、一部分断された部分１３に連通する締め付け間隙１４を有して左右方向に並設されている。このような締め付け部８、８の内側には、ボルト挿通孔１５が形成されている。
【００３６】
ボルト挿通孔１５には、締め付け間隙１４を横断し貫通する締め付けボルト１６が挿入されている。締め付けボルト１６は、この先端に螺合するナット１７と共働して、締め付け間隙１４の両側の締め付け部８、８を互いに近接する方向に締め付けすることができるようになっている（締め付けが生じると、バッテリーポスト挿入穴１１、１２が縮径する）。
【００３７】
上記樹脂部品３は、バッテリー４とバッテリーターミナル２との間に介在する部材であって、バッテリー液に対しての耐食性を持たせるために（防食機能を持たせるために）、合成樹脂材料を用いて成形されている。樹脂部品３は、本形態において、ＰＰ（ポリプロピレン）のような安価な材料が用いられている（この限りではないものとする）。また、樹脂部品３は、バッテリー４に対するバッテリーターミナル２の回り止め（位置決め）機能を持たせるために、後述するターミナルストッパー２２を有するように形成されている。尚、上記の各機能を持たせることから、樹脂部品３は防食カバーや端子ストッパーと呼ぶこともできるものとする。
【００３８】
樹脂部品３は、ターミナル下部カバー１８と、ターミナル上部カバー１９と、ヒンジ２０と、ロック部２１と、ターミナルストッパー２２とを有している。樹脂部品３は、上記の部分が一体になっている。樹脂部品３は、ターミナル下部カバー１８とターミナル上部カバー１９とでバッテリーターミナル２を挟み込み、この挟み込み状態をロック部２１によって維持することにより、バッテリーターミナル２に対して組み付くようになっている。
【００３９】
ターミナル下部カバー１８は、バッテリーターミナル２の下部とバッテリー４の上部２３との間に介在する板状の部分として形成されている。ターミナル下部カバー１８には、バッテリーポスト５に対する円形の挿入穴（符号省略）が貫通形成されている。ターミナル下部カバー１８の左右両側部２４、２５には、ロック部２１における一方（特許請求の範囲においては他方に相当）となる係止突起２６がそれぞれ形成されている。側部２４、２５は、これを平面視した状態では図示の如く段付きとなる形成に形成されている。係止突起２６は、側部２４、２５の段の下側に配置形成されている。
【００４０】
ターミナル上部カバー１９は、バッテリーターミナル２の上部に重なる板状の部分として形成されている。ターミナル上部カバー１９の中央部分には、バッテリーターミナル２のバッテリーポスト挿入穴１１に対する逃がしとなる挿入穴逃がし部分２７が形成されている。ターミナル上部カバー１９の左右両側部２８、２８には、ロック部２１における他方（特許請求の範囲においては一方に相当）となる係止枠部２９がそれぞれ形成されている。係止枠部２９は、ターミナル下部カバー１８の係止突起２６に引っ掛かるように形成されている。係止枠部２９は、係止突起２６に引っ掛かると、ターミナル下部カバー１８における側部２４、２５の段の上側に対して面一となるような厚みに形成されている。
【００４１】
ヒンジ２０は、バッテリーターミナル２の前側（締め付け部８、８がある側）で図２の矢印の如く曲げられる（前後方向にＵ字状に湾曲させられる）部分であって、ターミナル下部カバー１８やターミナル上部カバー１９よりも格段に薄肉となるように形成されている。ヒンジ２０は、略短冊状の形状であって、この一端にターミナル上部カバー１９が、他端にターミナル下部カバー１８が連成されている。ヒンジ２０は、ターミナル上部カバー１９及びターミナル下部カバー１８の二つの部分を繋ぐように形成されている。
【００４２】
ターミナルストッパー２２は、ターミナル下部カバー１８の後部に連成されている。ターミナルストッパー２２は、バッテリー４の側部３０に当接可能となる位置決め用の部分、及び回り止め用の部分として形成されている。ターミナルストッパー２２は、本形態において、バッテリー４の上部２３と側部３０とに跨るように側面視略Ｌ字状の形状に形成されている。ターミナルストッパー２５には、この剛性を高めるための複数のリブ３１、３２が形成されている。
【００４３】
上記構成及び構造において、樹脂部品３は、バッテリーターミナル２の下部にターミナル下部カバー１８をセットし、この後にヒンジ２０をバッテリーターミナルの前側で曲げてバッテリーターミナル２をターミナル上部カバー１９とターミナル下部カバー１８とで上下から挟み込み、そして、バッテリーターミナル２の左右両側部の位置でそれぞれ係止突起２６と係止枠部２９とを係合させてロック状態を左右二箇所に形成すると、バッテリーターミナル２に対する組み付けが完了する。
【００４４】
樹脂部品３は、仮にヒンジ２０が破断したとしても、バッテリーターミナル２の左右両側部の位置でロック状態が形成されることから、ターミナル上部カバー１９とターミナル下部カバー１８とでバッテリーターミナル２をこの上下から挟み込む状態を維持することができる。つまり、ヒンジ２０が破断したとしても、ターミナル下部カバー１８からターミナル上部カバー１９が分離脱落してしまうことはない。
【００４５】
樹脂部品３は、バッテリーターミナル２の前側でヒンジ２０を曲げるようにしていることから、図５で説明したヒンジ２０４と曲げ位置が異なる。従って、樹脂部品３は、左右方向の幅寸法Ａを図５の幅寸法Ｂよりも少なくともヒンジ２０４の分だけ狭めることができる（Ａ＜Ｂ）。樹脂部品３は、図５の防食カバー２０１よりも省スペース化を図ることができる。
【００４６】
以上、図１ないし図３を参照しながら説明してきたように、本発明によれば、ターミナル上部カバー１９及びターミナル下部カバー１８を繋ぐヒンジ２０に破断が生じた場合であっても、ロック部２１によって二つの部分の分離脱落を防止することができる。本発明の樹脂部品付きバッテリーターミナル１によれば、組み付けた樹脂部品３において分離脱落のないものとなる。
【００４７】
本発明は本発明の主旨を変えない範囲で種々変更実施可能なことは勿論である。
【００４８】
尚、上述の説明は、横方向から締め付けボルト１６及びナット１７を締め付けることにより締め付け部８、８を近接させるタイプのバッテリーターミナル２を例に挙げたが、これに限らず、上下方向で締め付けボルト及びナットを締め付け、この締め付け力を横方向に変換して、締め付け部を近接させるタイプのバッテリーターミナルにも適用することが可能であるものとする（但し、ヒンジ２０に締め付けボルト及びナットの逃がし部分を形成する必要があるものとする）。
【符号の説明】
【００４９】
１  樹脂部品付きバッテリーターミナル
２  バッテリーターミナル
３  樹脂部品（バッテリーターミナル用樹脂部品）
４  バッテリー
５  バッテリーポスト
１１、１２  バッテリーポスト挿入穴
１８  ターミナル下部カバー
１９  ターミナル上部カバー
２０  ヒンジ
２１  ロック部
２２  ターミナルストッパー
２３  上部
２４、２５  側部
２６  係止突起
２８  側部
２９  係止枠部
３０  側部
【図１】
2010160991.tif 000003
【図２】
2010160991.tif 000004
【図３】
2010160991.tif 000005
【図４】
2010160991.tif 000006
【図５】
2010160991.tif 000007